(57)【要約】【課題】通信機器において、回路基板の大型化を招くことなく、付加機能の動作帯域となる所定の周波数帯域を抑圧する。【解決手段】本発明に係る誘電体デュプレクサー１０は、アンテナ接続端子部１７に対して受信フィルター装置１及び送信フィルター装置２を並列に接続して構成され、両フィルター装置１、２が共通の誘電体ブロックに一体に組み込まれている。又、受信フィルター装置１の受信帯域及び送信フィルター装置２の送信帯域からずれた所定の周波数帯域を抑圧するトラップ回路８が、受信フィルター装置１及び送信フィルター装置２と共に前記誘電体ブロックに一体に組み込まれ、アンテナ接続端子部１７に接続されている。【選択図】　　　図６
2004023188.tif 000002
【特許請求の範囲】
【請求項１】
アンテナ接続端子部（１７）に対して受信フィルター装置（１）及び送信フィルター装置（２）を並列に接続して構成され、両フィルター装置（１）（２）が共通の誘電体ブロック（１１）に一体に組み込まれているモノブロック型の誘電体デュプレクサーにおいて、受信フィルター装置（１）の受信帯域及び送信フィルター装置（２）の送信帯域からずれた所定の周波数帯域を抑圧するトラップ回路（８）が、受信フィルター装置（１）及び送信フィルター装置（２）と共に前記誘電体ブロック（１１）に一体に組み込まれ、前記アンテナ接続端子部（１７）に接続されていることを特徴とする誘電体デュプレクサー。
【請求項２】
受信フィルター装置（１）、送信フィルター装置（２）及びトラップ回路（８）はそれぞれ、１或いは複数の同軸誘電体共振器部（７）を具え、各同軸誘電体共振器部（７）は、前記誘電体ブロック（１１）の一部である誘電体ブロック部と、該誘電体ブロック部に開設した貫通孔の内周面に形成された内導体層部と、該誘電体ブロック部の外周面に形成された外導体層部と、前記内導体層と外導体層を互いに短絡せしめる短絡導体層部とを具えている請求項１に記載の誘電体デュプレクサー。
【請求項３】
各同軸誘電体共振器部（７）の貫通孔が開口する誘電体ブロック（１１）の一端面には、同軸誘電体共振器部（７）毎に、内導体層部と繋がる導体パターン片が形成され、互いに接続されるべき一組の同軸誘電体共振器部（７）（７）は、それぞれの導体パターン片が互いに近接して、両導体パターン間にキャパシタンスを形成し、該キャパシタンスを介して高周波信号の伝達が行なわれる請求項２に記載の誘電体デュプレクサー。
【請求項４】
アンテナ接続端子部（１７）は、前記誘電体ブロック（１１）の一端面に形成した導体パターン片（３１）の一方の端部に繋がっており、該導体パターン片（３１）の他方の端部は、トラップ回路（８）を構成する同軸誘電体共振器部（７ｔ）の導体パターン片（３０）に近接して、両導体パターン間に生じるキャパシタンスを介して高周波信号の伝達が行なわれる請求項３に記載の誘電体デュプレクサー。
【請求項５】
アンテナ接続端子部（１７）は、前記誘電体ブロック（１１）の一端面に形成した導体パターン片（３１）の一方の端部に繋がっており、該導体パターン片（３１）の他方の端部は、トラップ回路（８）を構成する同軸誘電体共振器部（７ｔ）の導体パターン片（３０）と直接に接続されている請求項３に記載の誘電体デュプレクサー。
【請求項６】
アンテナ接続端子部（１７）には、互いにずれた周波数帯域を抑圧する複数のトラップ回路（８ａ）（８ｂ）が接続されている請求項１乃至請求項５の何れかに記載の誘電体デュプレクサー。
【発明の詳細な説明】
【０００１】
【発明の属する技術分野】
本発明は、携帯電話機等の無線通信機器に装備される誘電体デュプレクサーに関するものである。
【０００２】
【従来の技術】
従来、数百ＭＨｚ〜数ＧＨｚの周波数帯域を利用する移動体通信システムの端末機においては、図１５に示す如く、アンテナ（９）にデュプレクサー（４０）を介して受信回路（９１）及び送信回路（９２）を並列に接続して、１本のアンテナ（９）を受信と送信で共用している。デュプレクサー（４０）は、受信フィルター装置（１）と送信フィルター装置（２）から構成されている。
受信フィルター装置（１）及び送信フィルター装置（２）はそれぞれ、例えば図１６（ａ）に示す同軸誘電体共振器（５０）を複数個接続して構成することが出来る。
【０００３】
同軸誘電体共振器（５０）は、図１６（ａ）に示す如く、直方体状の誘電体ブロック（５１）に貫通孔を開設し、該誘電体ブロック（２１）の外周面及び貫通孔の内周面にそれぞれ外導体層（５３）及び内導体層（５２）を形成すると共に、貫通孔が開口する誘電体ブロック（５１）の一方の端面には、外導体層（５３）と内導体層（５２）を互いに短絡せしめる短絡導体層（５４）を形成して構成されている。
該同軸誘電体共振器（５０）においては、外導体層（５３）がグランドに接続されると共に、内導体層（５２）に信号入力端子Ｓが接続される。これによって、同軸誘電体共振器（５０）は、図１６（ｂ）に示す如くインダクタンス素子Ｌとキャパシタンス素子Ｃを互いに並列に接続した回路と等価となり、インダクタンス素子Ｌのインダクタンスとキャパシタンス素子Ｃのキャパシタンスとによって決定される共振周波数を有するトラップフィルターが構成される。
【０００４】
又、受信フィルター装置（１）及び送信フィルター装置（２）を構成する複数個の同軸誘電体共振器（５０）が一体化されたモノブロックタイプの誘電体デュプレクサーが開発されている（米国特許第５，２５０，９１６号参照）。例えば図９に示す誘電体デュプレクサー（４０）は、共通の誘電体ブロック（１１）に複数の同軸誘電体共振器部（７ａ）〜（７ｇ）を一体に組み込んで構成されている。
各同軸誘電体共振器部（７）は、図１０に示す如く、誘電体ブロック（４１）と、誘電体ブロック（４１）の貫通孔（４２）の内周面に形成された内導体層（４３）と、誘電体ブロック（４１）の外周面に形成された外導体層（４４）と、内導体層（４３）と外導体層（４４）を互いに短絡せしめる短絡導体層（４５）とを具えている。
【０００５】
又、各同軸誘電体共振器部（７）の貫通孔が開口する誘電体ブロック（４１）の一方の端面には、複数の同軸誘電体共振器部を互いに接続するための導体パターン（４６）が形成されている。該導体パターン（４６）は、図９に示す如く、同軸誘電体共振器部（７）毎に貫通孔の開口縁から周囲に向けて拡がる複数の導体パターン片（２１）〜（２７）と、アンテナと接続されるべき導体パターン片（４７）と、受信回路と接続されるべき導体パターン片（２８）と、送信回路と接続されるべき導体パターン片（２９）とから構成されている。
【０００６】
上記誘電体デュプレクサー（４０）の等価回路を図１１に示す。図示の如く、アンテナ接続端子部ＡＮＴに対して受信フィルター装置（１）と送信フィルター装置（２）とが並列に接続されている。受信フィルター装置（１）は、受信信号の周波数帯域に通過帯域を有するフィルター回路（３）と、送信信号の周波数帯域を抑圧するトラップ回路（４）とから構成される。又、送信フィルター装置（２）は、送信信号の周波数帯域に通過帯域を有するフィルター回路（５）と、受信信号の周波数帯域を抑圧するトラップ回路（６）とから構成される。
受信フィルター装置（１）のフィルター回路（３）とトラップ回路（４）の連結点には、受信側の接続端子部Ｒｘが設けられ、送信フィルター装置（２）のフィルター回路（５）とトラップ回路（６）の連結点には、送信側の接続端子Ｔｘが設けられている。
【０００７】
受信フィルター装置（１）のフィルター回路（３）は、３つの同軸誘電体共振器部（７ａ）〜（７ｃ）から構成され、トラップ回路（４）は１つの同軸誘電体共振器部（７ｆ）から構成されている。又、送信フィルター装置（２）のフィルター回路（５）は、２つの同軸誘電体共振器部（７ｄ）（７ｅ）から構成され、トラップ回路（６）は１つの同軸誘電体共振器部（７ｇ）から構成されている。
尚、各同軸誘電体共振器部（７）は、図１６（ａ）に示す同軸誘電体共振器（５０）と同様の構造を有している。
【０００８】
図１１に示す誘電体デュプレクサー（４０）の等価回路において、アンテナ接続端子部ＡＮＴから伸びる信号線路には、９つのキャパシタンス素子Ｃ１〜Ｃ９が介在しているが、これらのキャパシタンス素子は、図９に示す誘電体デュプレクサー（４０）において誘電体ブロック（４１）の一端面に形成された導体パターン（４６）によって構成されている。即ち、互いに接続されるべき一組の同軸誘電体共振器部（７）（７）の導体パターン片が互いに近接して、両導体パターン間にキャパシタンスを形成しているのである。
【０００９】
【発明が解決しようとする課題】
近年、携帯電話機においては、ＧＰＳ機能や無線ＬＡＮ機能等の種々の付加機能を具えたものが開発されている。この様な携帯電話機においては、送信回路及び受信回路のそれぞれに、付加機能の動作帯域を抑圧するトラップ回路が装備される。
しかしながら、送信回路及び受信回路のそれぞれにトラップ回路を設けることによって回路基板の大型化を招く問題があった。
本発明の目的は、通信機器において、回路基板の大型化を招くことなく、付加機能の動作帯域となる所定の周波数帯域を抑圧することである。
【００１０】
【課題を解決する為の手段】
そこで、本発明者らは上記目的を達成するべく鋭気研究を重ねた結果、アンテナ接続端子部に対して受信フィルター装置及び送信フィルター装置を並列に接続して構成されるデュプレクサーに、所定の周波数帯域を抑圧する機能を追加することが、上記目的の達成に有効であることを見出し、本発明の完成に至った。
【００１１】
本発明に係る誘電体デュプレクサーは、受信フィルター装置（１）及び送信フィルター装置（２）が共通の誘電体ブロック（１１）に一体に組み込まれているモノブロック型の誘電体デュプレクサーであって、受信フィルター装置（１）の受信帯域及び送信フィルター装置（２）の送信帯域からずれた所定の周波数帯域を抑圧するトラップ回路（８）が、受信フィルター装置（１）及び送信フィルター装置（２）と共に前記誘電体ブロック（１１）に一体に組み込まれ、前記アンテナ接続端子部（１７）に接続されている。
【００１２】
上記本発明の誘電体デュプレクサーを具えた通信機器において、高周波信号の受信時には、受信フィルター装置（１）とトラップ回路（８）が機能して、アンテナ接続端子部（１７）から入力された高周波信号が受信フィルター装置（１）を通過することにより、受信帯域以外の周波数成分は減衰し、更にトラップ回路（８）によって付加機能の動作帯域となる周波数帯域が抑圧される。従って、受信信号が付加機能の動作に影響を与えることはない。
又、高周波信号の送信時には、送信フィルター装置（２）とトラップ回路（８）が機能して、送信回路からの高周波信号が送信フィルター装置（２）を通過することにより、送信帯域以外の周波数成分は減衰し、更にトラップ回路（８）によって付加機能の動作帯域となる周波数帯域が抑圧される。従って、付加機能の動作が送信信号に影響を与えることはない。
【００１３】
具体的には、受信フィルター装置（１）、送信フィルター装置（２）及びトラップ回路（８）はそれぞれ、１或いは複数の同軸誘電体共振器部（７）を具え、各同軸誘電体共振器部（７）は、前記誘電体ブロック（１１）の一部である誘電体ブロック部と、該誘電体ブロック部に開設した貫通孔の内周面に形成された内導体層部と、該誘電体ブロック部の外周面に形成された外導体層部と、前記内導体層と外導体層を互いに短絡せしめる短絡導体層部とを具えている。
【００１４】
又、各同軸誘電体共振器部（７）の貫通孔が開口する誘電体ブロック（１１）の一端面には、同軸誘電体共振器部（７）毎に、内導体層部と繋がる導体パターン片が形成され、互いに接続されるべき一組の同軸誘電体共振器部（７）（７）は、それぞれの導体パターン片が互いに近接して、両導体パターン間にキャパシタンスを形成し、該キャパシタンスを介して高周波信号の伝達が行なわれる。
【００１５】
アンテナ接続端子部（１７）は、前記誘電体ブロック（１１）の一端面に形成した導体パターン片（３１）の一方の端部に繋がっており、該導体パターン片（３１）の他方の端部は、トラップ回路（８）を構成する同軸誘電体共振器部（７ｔ）の導体パターン片（３０）に近接して、両導体パターン間に生じるキャパシタンスを介して高周波信号の伝達が行なわれる。
或いは、アンテナ接続端子部（１７）は、前記誘電体ブロック（１１）の一端面に形成した導体パターン片（３１）の一方の端部に繋がっており、該導体パターン片（３１）の他方の端部は、トラップ回路（８）を構成する同軸誘電体共振器部（７ｔ）の導体パターン片（３０）と直接に接続されて、高周波信号の伝達が行なわれる。
【００１６】
尚、アンテナ接続端子部（１７）に単一のトラップ回路（８）を接続した構成に限らず、互いにずれた周波数帯域を抑圧する複数のトラップ回路（８ａ）（８ｂ）を接続する構成を採用することも可能である。
【００１７】
【発明の効果】
本発明に係る誘電体デュプレクサーにおいては、付加機能の動作帯域となる所定の周波数帯域を抑圧するトラップ回路（８）が、受信フィルター装置（１）及び送信フィルター装置（２）と共に誘電体ブロック（１１）に一体に組み込まれて、モノブロックタイプの誘電体デュプレクサーを構成しており、然も、送信時と受信時で一つのトラップ回路（８）が共用されているので、誘電体デュプレクサーのチップサイズに大きな変化はない。従って、本発明の誘電体デュプレクサーを装備した通信機器によれば、回路基板の大型化を招くことなく、付加機能の動作帯域となる所定の周波数帯域を抑圧することが出来る。
【００１８】
【発明の実施の形態】
以下、無線ＬＡＮ機能を有する携帯電話機に装備される誘電体デュプレクサーに本発明を実施した形態につき、図面に沿って具体的に説明する。
尚、該携帯電話機の送信帯域は例えば１．８５〜１．９１ＧＨｚに、受信帯域は例えば１．９３〜１．９９ＧＨｚに設定されており、無線ＬＡＮの動作帯域は例えば２．４０４５〜２．４７９５ＧＨｚに設定されている。
【００１９】
本発明に係る誘電体デュプレクサー（１０）は、図１に示す如く、直方体状の誘電体ブロック（１１）に８つの同軸誘電体共振器部（７ａ）〜（７ｇ）を一体に組み込んで構成されている。ここで、略中央位置の同軸誘電体共振器部（７ｔ）が本発明の特徴であるトラップ回路を構成し、該同軸誘電体共振器部（７ｔ）の左側の４つの同軸誘電体共振器部（７ａ）（７ｂ）（７ｃ）（７ｆ）が受信フィルター装置を構成し、右側の３つの同軸誘電体共振器部（７ｄ）（７ｅ）（７ｇ）が送信フィルター装置を構成している。
【００２０】
各同軸誘電体共振器部（７）は、図３に示す如く、誘電体ブロック（１１）と、誘電体ブロック（１１）の貫通孔（１２）の内周面に形成された内導体層（１３）と、誘電体ブロック（１１）の外周面に形成された外導体層（１４）と、内導体層（１３）と外導体層（１４）を互いに短絡せしめる短絡導体層（１５）とを具えている。
【００２１】
又、各同軸誘電体共振器部（７）の貫通孔が開口する誘電体ブロック（１１）の一方の端面には、７つの同軸誘電体共振器部（７ａ）〜（７ｇ）を互いに接続するための導体パターン（１６）が形成されている。該導体パターン（１６）は、図１に示す如く、同軸誘電体共振器部（７）毎に貫通孔の開口縁から周囲に向けて拡がる７つの矩形状導体パターン片（２１）〜（２７）と、アンテナと接続されるべき帯状導体パターン片（３１）と、受信回路と接続されるべき帯状導体パターン片（２８）と、送信回路と接続されるべき帯状導体パターン片（２９）とから構成されている。
３つの帯状導体パターン片（３１）（２８）（２９）は図２に示す如く誘電体ブロック（１１）の裏面に形成されたアンテナ接続端子部（１７）、受信側接続端子部（１８）及び送信側接続端子部（１９）にそれぞれ繋がっている。
【００２２】
上記誘電体デュプレクサー（１０）の等価回路を図６に示す。図示の如く、アンテナ接続端子部ＡＮＴ（１７）に対して受信フィルター装置（１）と送信フィルター装置（２）とが並列に接続されている。受信フィルター装置（１）は、受信信号の周波数帯域に通過帯域を有するフィルター回路（３）と、送信信号の周波数帯域を抑圧するトラップ回路（４）とから構成される。又、送信フィルター装置（２）は、送信信号の周波数帯域に通過帯域を有するフィルター回路（５）と、受信信号の周波数帯域を抑圧するトラップ回路（６）とから構成される。
【００２３】
又、アンテナ接続端子部（１７）に対する受信フィルター装置（１）と受信フィルター装置（１）の連結点（８０）には、受信フィルター装置（１）の受信帯域及び送信フィルター装置（２）の送信帯域からずれた所定の周波数帯域を抑圧するトラップ回路（８）が接続されている。
受信フィルター装置（１）のフィルター回路（３）とトラップ回路（４）の連結点には、受信側の接続端子部Ｒｘ（１８）が設けられ、送信フィルター装置（２）のフィルター回路（５）とトラップ回路（６）の連結点には、送信側の接続端子部Ｔｘ（１９）が設けられている。
【００２４】
受信フィルター装置（１）のフィルター回路（３）は、３つの同軸誘電体共振器部（７ａ）〜（７ｃ）から構成され、トラップ回路（４）は１つの同軸誘電体共振器部（７ｆ）から構成されている。送信フィルター装置（２）のフィルター回路（５）は、２つの同軸誘電体共振器部（７ｄ）（７ｅ）から構成され、トラップ回路（６）は１つの同軸誘電体共振器部（７ｇ）から構成されている。又、トラップ回路（８）は、１つの同軸誘電体共振器部（７ｔ）から構成されている。
【００２５】
尚、受信フィルター装置（１）及び送信フィルター装置（２）を構成する同軸誘電体共振器部（７ａ）〜（７ｇ）は、各フィルター装置に所定のフィルター特性が得られる様、それぞれのキャパシタンス及びインダクタンスが設計されている。又、トラップ回路（８）を構成する同軸誘電体共振器部（７ｔ）は、受信フィルター装置（１）の受信帯域と送信フィルター装置（２）の送信帯域からずれた無線ＬＡＮの周波数帯域にトラップ特性が得られる様に、キャパシタンス及びインダクタンスが設計されている。
【００２６】
図６に示す誘電体デュプレクサー（４０）の等価回路において、アンテナ接続端子部（１７）から伸びる３本の信号線路には、１０個のキャパシタンス素子Ｃ０〜Ｃ９が介在しているが、これらのキャパシタンス素子は、図１に示す誘電体デュプレクサー（１０）において誘電体ブロック（１１）の一端面に形成された導体パターン（１６）によって構成されている。
【００２７】
即ち、アンテナ接続端子部（１７）から伸びる導体パターン片（３１）は、先端部が二股に分かれて一対のアーム部（３２）（３２）を形成しており、両アーム部（３２）（３２）が同軸誘電体共振器部（７ｔ）の導体パターン片（３０）を両側から挟み込んで、両導体パターン片（３１）（３０）間にキャパシタンス素子Ｃ０を構成している。又、導体パターン片（３１）の両アーム部（３２）（３２）は、その両側に位置する同軸誘電体共振器部（７ａ）（７ｄ）の導体パターン片（２１）（２４）と近接して、互いに近接する導体パターン片（３０）（２１）間にキャパシタンスＣ１を構成すると共に、互いに近接する導体パターン片（３０）（２４）間にキャパシタンスＣ５を構成している。
フィルター回路（３）（５）を構成する５つの同軸誘電体共振器部（７ａ）〜（７ｅ）において、互いに隣接する一組の同軸誘電体共振器部の間にも同様にキャパシタンスＣ２、Ｃ３、Ｃ６が構成されている。
【００２８】
図１の如く、受信側接続端子部（１８）から伸びる導体パターン片（２８）は、フィルター回路を構成する同軸誘電体共振器部（７ｃ）の導体パターン片（２３）とトラップ回路を構成する同軸誘電体共振器部（７ｆ）の導体パターン片（２６）との間を伸びており、互いに近接する導体パターン片（２８）（２３）間にキャパシタンスＣ４が構成されると共に、互いに近接する導体パターン片（２８）（２６）間にキャパシタンスＣ８が構成されている。
又、送信側接続端子部（１９）から伸びる導体パターン片（２９）は、フィルター回路を構成する同軸誘電体共振器部（７ｅ）の導体パターン片（２５）とトラップ回路を構成する同軸誘電体共振器部（７ｇ）の導体パターン片（２７）との間を伸びており、互いに近接する導体パターン片（２９）（２５）間にキャパシタンスＣ７が構成されると共に、互いに近接する導体パターン片（２９）（２７）間にキャパシタンスＣ９が構成されている。
【００２９】
斯くして、本発明に係る誘電体デュプレクサー（１０）においては、受信フィルター装置（１）のフィルター回路（３）が３つの同軸誘電体共振器部（７ａ）〜（７ｃ）として、トラップ回路（４）が１つの同軸誘電体共振器部（７ｆ）として、送信フィルター装置（２）のフィルター回路（５）が２つの同軸誘電体共振器部（７ｄ）（７ｅ）として、トラップ回路（６）が１つの同軸誘電体共振器部（７ｇ）として、更にトラップ回路（８）が１つの同軸誘電体共振器部（７ｔ）として、共通の誘電体ブロック（１１）に一体に組み込まれて、モノブロック型の誘電体デュプレクサー（１０）を構成している。
【００３０】
図４に示す誘電体デュプレクサー（１０）は、受信帯域及び送信帯域からずれた無線ＬＡＮの周波数帯域にトラップ特性を実現するために、一対の同軸誘電体共振器部（７ｔ）（７ｔ）を配備したものである。該誘電体デュプレクサー（１０）の等価回路を図７に示す。
図７において、受信フィルター装置（１）と送信フィルター装置（２）の連結点（８０）には、一対のトラップ回路（８ａ）（８ｂ）が並列に接続されており、該トラップ回路（８ａ）（８ｂ）は前記一対の同軸誘電体共振器部（７ｔ）（７ｔ）によって構成されている。これらのトラップ回路部（８ａ）（８ｂ）は、一対の同軸誘電体共振器部（７ｔ）（７ｔ）と導体パターン片（３１）のアーム部（３２）（３２）との相対的な位置の相違によって結合容量が異なるため（Ｃ０ａ≠ＣＯｂ）、抑圧すべき周波数帯域が互いにずれており、両トラップ回路（８ａ）（８ｂ）によって、幅の広い周波数帯域にトラップ特性を実現するものである。
【００３１】
又、図５に示す誘電体デュプレクサー（１０）は、アンテナ接続端子に繋がる導体パターン片（３１）を、トラップ回路を構成すべき同軸誘電体共振器部（７ｔ）の導体パターン片（３０）と直接に接続したものである。該誘電体デュプレクサー（１０）の等価回路を図８に示す。図８において、受信フィルター装置（１）と送信フィルター装置（２）の連結点（８０）には、トラップ回路（８）が直接に接続されている。
【００３２】
図１２（ａ）（ｂ）は、図９に示す従来の誘電体デュプレクサー（４０）の送信時と受信時の周波数特性を表わしている。図示の如く、送信フィルター装置（２）によって、所定の送信帯域Ｂｔ（１．８５〜１．９１ＧＨｚ）に通過特性が得られる共に、受信フィルター装置（１）によって、所定の受信帯域Ｂｒ（１．９３〜１．９９ＧＨｚ）に通過特性が得られている。
【００３３】
図１３（ａ）（ｂ）は、図１に示す本発明の誘電体デュプレクサー（１０）の送信時と受信時の周波数特性を表わしている。図示の如く、トラップ回路（８）によって、送信帯域Ｂｔ及び受信帯域Ｂｒからずれた位置に１つの減衰極Ｑが顕れており、無線ＬＡＮの動作帯域Ｂｍ（２．４０４５〜２．４７９５ＧＨｚ）を含む周波数帯域にトラップ特性が実現されている。
図１２に示す従来の誘電体デュプレクサー（４０）の特性と比較すると、無線ＬＡＮの動作帯域Ｂｍで、送信時及び受信時ともに約２０ｄＢの抑圧効果が得られることになる。
尚、図５に示す本発明の誘電体デュプレクサー（１０）においても、図１に示す誘電体デュプレクサー（４０）と殆ど同じ周波数特性が得られる。
【００３４】
又、図１４（ａ）（ｂ）は、図４に示す本発明の誘電体デュプレクサー（１０）の送信時と受信時の周波数特性を表わしている。図示の如く、一対のトラップ回路（８ａ）（８ｂ）によって、送信帯域Ｂｔ及び受信帯域Ｂｒからずれた位置に２つの減衰極Ｑ、Ｑが顕れており、無線ＬＡＮの動作帯域Ｂｍ（２．４０４５〜２．４７９５ＧＨｚ）を含む広い周波数帯域にトラップ特性が実現されている。
図１２に示す従来の誘電体デュプレクサー（４０）の特性と比較すると、無線ＬＡＮの動作帯域Ｂｍで、送信時は約３５〜３６ｄＢの抑圧効果が得られ、受信時には約３７〜３８ｄＢの抑圧効果が得られることになる。
【００３５】
この結果、本発明に係る誘電体デュプレクサー（１０）を装備した携帯電話機においては、受信信号が受信フィルター装置（１）を通過することにより、受信帯域以外の周波数成分は減衰し、更にトラップ回路（８）によって無線ＬＡＮの動作帯域が抑圧されるので、受信信号が無線ＬＡＮの動作に影響を与えることはない。
又、送信信号が送信フィルター装置（２）を通過することにより、送信帯域以外の周波数成分は減衰し、更にトラップ回路（８）によって無線ＬＡＮの動作帯域が抑圧されるので、無線ＬＡＮの動作が送信信号に影響を与えることはない。
【００３６】
然も、本発明に係る誘電体デュプレクサー（１０）を装備した携帯電話機においては、誘電体デュプレクサー（１０）がモノブロックタイプとしてトラップ回路（８）を一体に具え、該トラップ回路（８）は送信時と受信時に共用されるので、誘電体デュプレクサー（１０）は従来と殆ど同じチップサイズに維持され、回路基板の大型化を招くことはない。
【図面の簡単な説明】
【図１】本発明に係る誘電体デュプレクサーの斜視図である。
【図２】該誘電体デュプレクサーの裏面図である。
【図３】該誘電体デュプレクサーの断面図である。
【図４】本発明に係る他の誘電体デュプレクサーの斜視図である。
【図５】本発明に係る更に他の誘電体デュプレクサーの斜視図である。
【図６】図１に示す誘電体デュプレクサーの等価回路図である。
【図７】図４に示す誘電体デュプレクサーの等価回路図である。
【図８】図５に示す誘電体デュプレクサーの等価回路図である。
【図９】従来の誘電体デュプレクサーの斜視図である。
【図１０】該誘電体デュプレクサーの断面図である。
【図１１】該誘電体デュプレクサーの等価回路図である。
【図１２】図９に示す従来の誘電体デュプレクサーの送信時（ａ）及び受信時（ｂ）の周波数特性を示すグラフである。
【図１３】図１に示す本発明の誘電体デュプレクサーの送信時（ａ）及び受信時（ｂ）の周波数特性を示すグラフである。
【図１４】図４に示す本発明の誘電体デュプレクサーの送信時（ａ）及び受信時（ｂ）の周波数特性を示すグラフである。
【図１５】携帯電話機の構成を示すブロック図である。
【図１６】同軸誘電体共振器の構成及びその等価回路を示す図である。
【符号の説明】
（１）　受信フィルター装置
（２）　送信フィルター装置
（３）　フィルター回路
（４）　トラップ回路
（５）　フィルター回路
（６）　トラップ回路
（７）　同軸誘電体共振器部
（８）　トラップ回路
（１０）　誘電体デュプレクサー
（１１）　誘電体ブロック
（１２）　貫通孔
（１３）　内導体層
（１４）　外導体層
（１５）　短絡導体層
（１６）　導体パターン
（１７）　アンテナ接続端子部
（１８）　受信側接続端子部
（１９）　送信側接続端子部
【図１】
2004023188.tif 000003
【図２】
2004023188.tif 000004
【図３】
2004023188.tif 000005
【図４】
2004023188.tif 000006
【図５】
2004023188.tif 000007
【図６】
2004023188.tif 000008
【図７】
2004023188.tif 000009
【図８】
2004023188.tif 000010
【図９】
2004023188.tif 000011
【図１０】
2004023188.tif 000012
【図１１】
2004023188.tif 000013
【図１２】
2004023188.tif 000014
【図１３】
2004023188.tif 000015
【図１４】
2004023188.tif 000016
【図１５】
2004023188.tif 000017
【図１６】
2004023188.tif 000018